(57)【要約】【課題】煙草の火を消火するのに手を汚したり、灰皿を収納した状態では、確実に消火しているかどうか分からなかった問題をなくすこと。【解決手段】灰皿部と灰皿ケースとからなる灰皿ユニット構造とし、灰皿部を煙草の灰等を受け入れる引き出し状態と、受け入れない収納状態とに移動可能なように形成すると共に、収納状態においては灰皿部が密閉される構造にして、煙草が燃焼する際に必要とする酸素を外部から取り込まないようにした。【選択図】　　図４
2004105373.tif 000002
【特許請求の範囲】
【請求項１】
灰皿部を灰皿ケース内に引出し自在に収納した遊技機の灰皿ユニットにおいて、収納時における前記灰皿部の前部に一体形成された灰皿蓋と前記灰皿ケースの開口部との接触部に密閉用封止部を設けたことを特徴とする遊技機の灰皿ユニット。
【請求項２】
前記密閉用封止部は、前記灰皿蓋側の接触部および前記灰皿ケース開口部側の少なくともいずれか一方に設けられたことを特徴とする請求項１に記載の遊技機の灰皿ユニット。
【請求項３】
前記密閉用封止部は、前記灰皿蓋と前記灰皿ケース開口部との少なくとも一方の側の接触部のみに設けられた段部により形成されることを特徴とする請求項１又は請求項２に記載の遊技機の灰皿ユニット。
【請求項４】
前記密閉用封止部は、接触部に配置されたパッキンで形成されることを特徴とする請求項１〜請求項３のいずれかに記載の遊技機の灰皿ユニット。
【請求項５】
前記灰皿ユニットを遊技機の前面パネルの片側又は左右両側に設けたことを特徴とする請求項１に記載の遊技機の灰皿ユニット。
【請求項６】
前記灰皿ユニットの前記灰皿蓋は、遊技機の前面操作パネルと同一面内に形成されるように取り付けたことを特徴とする請求項５に記載の遊技機の灰皿ユニット。
【請求項７】
前記灰皿部は前記灰皿ケース内において、前記灰皿蓋と前記灰皿ケース開口部とが接触する収納ポジションを有することを特徴とする請求項１〜請求項６のいずれかに記載の遊技機の灰皿ユニット。
【請求項８】
前記灰皿部は少なくとも、当該灰皿部の後壁上縁部が前記灰皿ケースの開口部から外れない位置で引出しを停止させる使用ポジションと、前記灰皿部が前記灰皿ケースの外側位置の清掃ポジションとを形成することを特徴とする請求項１〜請求項７のいずれかに記載の遊技機の灰皿ユニット。
【請求項９】
前記使用ポジションを形成している状態にある前記灰皿部を持ち上げることにより前記清掃ポジションまで引出し可能に形成されていることを特徴とする請求項１〜請求項８のいずれかに記載の遊技機の灰皿ユニット。
【発明の詳細な説明】
【０００１】
【発明の属する技術分野】この発明は、遊技機に関し、詳しくは、喫煙者のために灰皿を備えた遊技機において、煙草の火を確実に水を用いることなく消火するようにした遊技機の灰皿ユニットの構造に関する。
【０００２】
【従来の技術】パチンコ機やパチスロ機、パロット（株式会社ニューギンの登録商標〜メダルの代わりにパチンコ球を遊技媒体に使用したパチスロ機）等の遊技機には、遊技者用の灰皿を備えたものがある。従来のパチンコ等の遊技機においては、灰皿を遊技機本体に固定したものや取外し可能にしたものがある。灰皿を遊技機本体に固定したものでは、灰皿清掃時の清掃作業が不便であり、また取外し可能にした灰皿においても、遊技中の遊技者の邪魔にならないように取り扱うことは困難である場合が多く、この灰皿清掃の作業のために遊技中の遊技者の興趣を害うことは避けられなかった。そして、灰皿が遊技機本体から簡単に取り外しができる構造のものでは盗難やいたずらの被害に遭うこともあった。従来、これらの対策が施された取外し可能な構造の灰皿を備えた遊技機は幾つか提案されている。
【０００３】例えば、特開２０００‐３２５６２７号公報（第３頁、図１〜８）には、遊技機の前面に遊技用の球やコイン等を貯留する受け皿と煙草の灰や吸殻を入れるための灰皿をそれぞれ別個に取り付け、その灰皿取付収納部に煙草の灰等を受け入れる引き出し状態と、これを受け入れない収納状態とに移動可能とした灰皿を備えた遊技機が記載されている。
【０００４】この発明では、灰皿と灰皿取付収納部の係合手段として、該灰皿の側部に設けた案内溝部と本体側の案内凸部とを係合させ、スライド可能に、かつ脱着可能に取り付け、該案内溝部に沿って灰皿を後方にへスライドさせることにより、煙草の灰等を受け入れない収納状態にするもので、さらに該灰皿取付収納部付近に回動可能な蓋を取り付け、灰皿収納後に蓋を閉じるようにしている。この構成により、灰皿取付収納部に引き出し状態と収納状態とに移動可能に取り付けられているため、灰皿を使用できる状態と使用できない状態とに簡易に変換できるようにされており、灰皿を使用できない状態では、灰皿が遊技機の前枠又は下受け皿に収納される構造に形成されていて、清掃時には、灰皿の引き出し状態から前端部を上方に傾けてさらに引き出すことによりストッパーから外して清掃できるように、灰皿を脱着可能としている。
【０００５】また、特開２００１‐２６９４７０号公報（第２〜３頁、図３〜７）には、遊技機の本体と灰皿との構造を、灰皿の灰受けとなる凹部を上向きにした使用位置と、灰を落下させる清掃位置とに可変に連結する灰皿取付構造を備えた遊技機が記載されている。この発明では、遊技機の本体に固定される支持軸を灰皿の下側に配された軸受部に挿通させることで、該支持軸が該軸受部の弾性板を弾性変形させて突起と軸受面との間を通過して該軸受部内に入り込むように形成し、遊技機本体と灰皿との連結と取付が簡単なように構成されており、これにより灰皿は軸受部に挿通している支持軸と直交する方向に回動可能に許容され、灰皿の使用時は、灰皿の後側部を本体側の回動規制部により灰皿の回動が阻止され、灰皿の清掃時には、灰皿を設定以上に遊技者側に引き出し、該軸受部で灰皿を下向きに回動させることにより、煙草の灰等を払い落として清掃ができるようにされている。
【０００６】
【発明が解決しようとする課題】ところが、特開２０００‐３２５６２７号公報に記載の従来の灰皿取付構造のものでは、灰皿を収納部に収納した状態では煙草が確実に消火しているかどうが分からないとともに、清掃時においても灰皿は完全に取り外さなければならない構造となっており、その際の紛失やいたずらによる破損、盗難等が発生する恐れがあるなどの問題がある。
そして、特開２００１‐２６９４７０号公報に記載の従来の灰皿取付構造のものにおいても、次のような問題があった。すなわち、煙草の火を確実に消火するのに唾液等の付いている煙草のフィルター部を手に持ち、灰皿の底に押し当てなければならず、遊技者の手を汚しやすいという問題、灰皿の不使用時においては本体内には収納することができず、常時使用位置に露出して灰皿が保持された侭であるため、本来の使用目的である煙草の灰や吸殻のほかに、ガム等の粘着物や液体等の汚物の投入により、いたずらされる恐れは避けられないという問題、灰皿の取付が簡単である反面、灰皿を下向きに回動した後、弾性板を変形させれば、容易に灰皿を取外すことができるため、前記のようないたずらによる破損や盗難の防止は困難であるという問題、灰皿の位置が遊技機の左右どらかにしか存在しないため、例えば左側に配置された場合は左利きの遊技者にとっては扱いにくく、またデザイン的にも左右非対称のデザインになってしまうという問題があった。
また、点火状態の吸殻から発生する煙は生理的な不快感を起させるため、遊技場の係員はサービスとして吸殻を消火しているが、手間がかかることは勿論、他人の唾液が付着した吸殻を手作業で消火することは不愉快であり、また衛生的であるとは言い難い。
そこで係員は遊技機の灰皿に予め消火用に水を貯留させたり、手作業で水を掛けることによって上述した不快感を回避しているが、遊技者あるいは係員が灰皿の操作を誤って貯留水を遊技機の周りに零したり、水を吸い込んだ状態の灰あるいは吸殻を誤って遊技機周辺に撒き散らしてしまうなどの新たな問題を招いている。
【０００７】本発明の目的は、このような従来の問題に鑑み、遊技機本体内に灰皿が収納でき、煙草の火を確実に消火するのに灰皿を引出し式の灰皿ケース内に収納するだけで、簡単、かつ、確実、しかも水を用いることなく消火することができるとともに、通常の使用時の灰皿の引き出しと清掃時の取扱いも簡単で、いたずら等による破損や盗難も防止することができ、しかもデザイン的にも優れた遊技機の灰皿の構造を提供することを課題とする。
【０００８】
【課題を解決するための手段】本発明は、上記課題を解決するために講じた手段及びその作用は次のとおりである。
【０００９】請求項１では、灰皿部を灰皿ケース内に引出し自在に収納した遊技機の灰皿ユニットにおいて、収納時における前記灰皿部の前部に一体形成された灰皿蓋と前記灰皿ケースの開口部との接触部に密閉用封止部を設けた遊技機の灰皿ユニットを提案する。
【００１０】（作用）該遊技機の灰皿ユニットによれば、密閉用封止部を設けたので、煙草の火を消火するのに、灰皿部を灰皿ケースに収納するだけで、煙草の燃焼に必要な空気を遮断することができ、遊技者の手を汚すことなく簡単で確実に水を用いることなく消火することができるものである。
【００１１】請求項２では、請求項１の遊技機の灰皿ユニットにおいて、前記密閉用封止部は、前記灰皿蓋側の接触部および前記灰皿ケース開口部側の少なくともいずれか一方に設けられた遊技機の灰皿ユニットを提案する。
【００１２】（作用）該遊技機の灰皿ユニットによれば、煙草の火を、手を汚さずに確実に水を用いることなく消火することができると共に、密閉用封止部が灰皿蓋側の接触部および前記灰皿ケース開口部側の少なくともいずれか一方に形成することができるので、灰皿部の引出し状態において、該密閉用封止部の具合を点検するのが容易であり、該密閉用封止部を双方に設けた場合にはどちらか一方の密閉用封止部が不具合になっても、他の密閉用封止部で密閉状態を維持することができ、しかも該密閉用封止部が遊技機の前方からは見えないのでデザイン的に体裁がよく、またその形成加工が容易である。
【００１３】請求項３では、請求項１又は請求項２の遊技機の灰皿ユニットにおいて、前記密閉用封止部は、前記灰皿蓋と前記灰皿ケース開口部との少なくとも一方の側の接触部のみに設けられた段部により形成される遊技機の灰皿ユニットを提案する。
【００１４】（作用）該遊技機の灰皿ユニットによれば、煙草の火を、手を汚さずに確実に水を用いることなく消火することができると共に、灰皿部と灰皿ケース開口部との接触部のうち、少なくとも一方の側の接触部のみに形成された段部が他方の相手部材と篏合し合うようにした構造とするだけで、双方の接触部における灰皿部と灰皿ケースとの密閉篏合が形成できるため、構造が簡単でありながら、灰皿部が収納位置にしっかり収納保持されて、確実な密閉用封止が形成できる。
【００１５】請求項４では、請求項１〜３請求項のいずれかの遊技機の灰皿ユニットにおいて、前記密閉用封止部は、接触部に配置されたパッキンで形成される遊技機の灰皿ユニットを提案する。
【００１６】（作用）該遊技機の灰皿ユニットによれば、煙草の火を、手を汚さずに確実に水を用いることなく消火することができると共に、パッキンの装着が簡単にでき、安価に密閉封止部が形成できる。また、該パッキンを互いに接触し合う段部に装着した場合は、互いに相手部材の凹部又は凸部の接触部での密封が一層緊密となるので、灰皿部と灰皿ケースの双方による密着篏合により、灰皿部を収納位置にしっかり保持することができるから、確実な密閉用封止が形成できる。
【００１７】請求項５では、請求項１の遊技機の灰皿ユニットにおいて、前記灰皿ユニットを遊技機の前面パネルの片側又は左右両側に設けた遊技機の灰皿ユニットを提案する。
【００１８】（作用）該遊技機の灰皿ユニットによれば、煙草の火を、手を汚さずに確実に水を用いることなく消火することができると共に、遊技者が右利きでも左利きでも灰皿部の取扱いが便利であるから、煙草やガム等の始末に遊技者を煩わせることがない利点を有する。
【００１９】請求項６では、請求項５の遊技機の灰皿ユニットにおいて、前記灰皿ユニットの前記灰皿蓋は、遊技機の前面操作パネルと同一面内に形成されるように取り付けた遊技機の灰皿ユニットを提案する。
【００２０】（作用）該遊技機の灰皿ユニットによれば、煙草の火を、手を汚さずに確実に水を用いることなく消火することができると共に、灰皿ユニットの灰皿蓋を遊技機の前面操作パネルから出っ張らないように取り付けたので、灰皿取付部も前面操作パネルの表面に現れることがなく、デザイン的にすっきりさせ、外観的な違和感をなくし、デザインの自由度も高くすることができる。
【００２１】請求項７では、請求項１〜請求項６のいずれかの遊技機の灰皿ユニットにおいて、前記灰皿蓋と前記灰皿ケース開口部とが接触する収納ポジションを有する遊技機の灰皿ユニットを提案する。
【００２２】（作用）該遊技機の灰皿ユニットによれば、手を汚さずに煙草の火を確実に水を用いることなく消火することができると共に、灰皿部を灰皿ケース内に収納することができるので、灰皿部の不使用時は遊技機の前面操作パネル面に出っ張り部をなくすことができ、デザイン的にすっきりした外観が提供できる。
【００２３】請求項８では、請求項１〜請求項７のいずれかの遊技機の灰皿ユニットにおいて、前記灰皿部は少なくとも、当該灰皿部の後壁上縁部が前記灰皿ケースの開口部から外れない位置で引出しを停止させる使用ポジションと、前記灰皿部が前記灰皿ケースの外側位置の清掃ポジションとを形成する遊技機の灰皿ユニットを提案する。
【００２４】（作用）該遊技機の灰皿ユニットによれば、手を汚さずに煙草の火を確実に水を用いることなく消火することができると共に、不使用時には灰皿部を灰皿ケース内に収納できると共に、使用ポジションとは別に清掃ポジションを設ける２段階の引出し状態を形成するようにしたので、灰皿部を使用する時の使用ポジションでは、当該灰皿部の後壁上縁部が前記灰皿ケースの開口から外れない位置で引出しを停止させるので、安定した状態に灰皿部を保持することができ、遊技者は快適に灰皿部を使用することができる。また清掃ポジションでは灰皿ケースの外側位置まで灰皿部が引出されるので、灰皿部の清掃を容易に行うことができるものである。
【００２５】請求項９では、請求項１〜請求項８のいずれかの遊技機の灰皿ユニットにおいて、前記使用ポジションを形成している状態にある前記灰皿部を持ち上げることにより前記清掃ポジションまで引出し可能に形成されている遊技機の灰皿ユニットを提案する。
【００２６】（作用）該遊技機の灰皿ユニットによれば、手を汚さずに煙草の火を確実に水を用いることなく消火することができると共に、使用ポジションから清掃ポジションへ灰皿部を引出すには、灰皿部を一旦持ち上げなければ灰皿ケース内から外れないように形成されており、遊技者が不注意に灰皿部を単純に引き出そうとしても灰皿ケース内から外れないので、煙草の灰や吸殻等を床に落とすような事故を未然に防ぐことができる。
【００２７】
【発明の実施の形態】次に、本発明の実施の形態について説明する。
本発明に関する遊技機として、例えばパチスロ機の実施形態として以下説明する。
【００２８】図１１はパチスロ機の前面操作パネルＣを説明する概略図である。
この種のパチスロ機本体の前面には遊技用の表示装置（図示省略）がパネルに設けられており、その表示装置の図柄の組合せにより遊技者が当たりの組合せを得ると、メダル等の景品体を払い出したり、多数の景品体を獲得し易くして特賞などの特別遊技状態になるようにされている。上記表示装置に描かれている図柄は、ドラム型リールやベルト型リールの回転と停止で、機械的な表示手段により図柄を表示するものと、電気的な表示手段により液晶やＣＲＴ等で図柄を表示するものとがある。これら機械本体の前面操作パネルＣの下方にはメダル等の景品の払出を受けて貯留する受け皿や表示装置を操作するスタートレバーＡやストップスイッチＢなどが配置されている。遊技者は、左右の手を使用してこれらの前面操作パネルＣ下方に配置されたレバー、スイッチ類や受け皿等の取扱いをなしている。そして、喫煙者等が遊技機を使用して遊技操作を行いながら、煙草を吸ったり、或いは飲料を飲んだりして、遊技に熱中することは極めて普通に見かける情景であるが、このような場合においても、遊技機は遊技者が煙草の灰や吸殻、或いはガム等を始末しようとするとき、遊技中の興趣を妨げられることなく行えるような場所と高さに設置することが必要であり、灰皿等の設置や配置場所には上記事情を勘案して十分に気を使わなければならないものである。
【００２９】そこで、本実施形態では、灰皿の設置場所が遊技者の遊技の妨げにならないように工夫すると共に、右利きでも左利きの人でも、利用し易いようにした灰皿ユニットの構造を提供するものである。図１１は、パチスロ機の前面操作パネルＣの両側に灰皿Ｄ，Ｅを設置した例を示しており、左右のどちら側の灰皿部でも好みの方を使用できるように取り付けたものである。この収納構造は、パチスロ機の前面操作パネルＣの左右の側にデザイン的にもバランスよく配置されている。このため、喫煙しようとする場合などにおいては、遊技者の利き腕によって、左右いずれかの灰皿を引き出して使用できるようにしている。
【００３０】図１２の例では、前面操作パネルＣの左側に灰皿Ｄを設置しており、パネル全体のデザイン性にマッチするような前面形状としている。つまり、左右に配置した例と同様に、灰皿の不使用時には前面操作パネルＣの前面から突出しないように、前面操作パネルＣ内に収納できるようにしている。
【００３１】（灰皿部の概略構造）
次に、図１〜図９に基づいて、本発明の実施形態の灰皿ユニットの構造および動作について説明する。図１は、本発明の実施形態による灰皿ユニット１００の斜視図である。図において、１は灰皿部、２は灰皿ケース、３は灰皿の支持プレート、１２は灰皿部前面を成す灰皿蓋で、少なくとも灰皿ケース２の開口部内径よりはやや大きめのサイズに形成されており、好ましくは灰皿ケース２の開口部と同じ外径サイズに形成される。図に示すように、灰皿部１は、灰皿蓋１２と底部を有する壁部とからなり、吸殻や煙草の灰などを受け入れる灰皿の容器を形成している。該灰皿蓋１２は、灰皿部１の前部において灰皿部１と一体に形成されており、収納したとき、遊技機の前面操作パネルＣ面から出っ張ることなく、デザイン的に違和感が生じないように形成されている。
【００３２】（灰皿部の密閉構造）
図２に示すように、灰皿ユニット１００の引出し口における灰皿蓋１２と灰皿ケース２との接触部に、密閉用の封止部が設けられている。本実施形態では、灰皿蓋１２の裏側周縁にパッキン３０が貼着又は篏着により設けられている。このパッキン３０は、図９及び図１０に示すように、灰皿ケース２の開口部の側に形成してもよく、また、その両者に形成したものでもよい。また、このパッキン３０は、灰皿蓋１２の裏側又は灰皿ケース２の開口部の全周面に形成したものでも、一部の周面のみに形成したものでもよい。要は、灰皿部１の収納状態において、煙草が燃焼する際に必要とする酸素を外部から取り込まないような密閉した構造となるようにパッキン３０を配設することである。
【００３３】パッキン３０を灰皿蓋１２の裏側周縁に貼着形成する場合は、灰皿ケース２の開口部にぴったり接合されるようにパッキン３０を配置する。この場合、パッキン３０は、断面円形のＯリングが一般的であるが、そのほかに、リング形で表面が平坦状のもの、その他の形状のものを使用してもよい。パッキン３０は、図９の（ａ）ないし（ｆ）に示す例のように、貼着型タイプのほかに、凹溝内への嵌着型タイプなどを適宜採用することができる。パッキン３０の貼着又は篏着は、接着剤の使用或いは焼付け等により行えば、確実である。
【００３４】パッキンの材料としては、耐熱性のある弾性材料であるものが望ましい。このような材質を有するパッキン材には、例えば、ふっ素ゴム、シリコーンゴム、クロロプレンゴム、ニトリルゴム、アクリルゴム等の合成ゴムのほか、ふっ素樹脂などの合成樹脂材料を単独、複合又は補強材入りで使用するのが好適である。
【００３５】また、灰皿部１を合成樹脂等の弾性材料を使用して形成する場合は、パッキン３０は別体のものでなくても、灰皿ケース２との密閉構造が形成できるものであれば、灰皿部と一体に形成したものでもよい。このような密閉構造としては、図示しないが、灰皿蓋１２とケース開口部との接触部に互いにスナップ篏着可能の凹部と凸部を両者に形成した構造が考えられる。また、パッキン３０を弾性材料とした場合、パッキンの弾性変形を利用して灰皿蓋１２をやや押込み気味に閉じると、ぴったりと密閉できるので、灰皿ケース２の開口部の密閉性が完全となり、密閉状態を継続することもできるから、消火がより完全に達成できる。パッキン３０を灰皿ケース２の開口部の側に形成する場合は、煙草の吸殻等の受入れ側となる該ケースの開口部の内周縁に凹部を形成し、この凹部内にパッキン３０を篏着するようにして密閉構造としたものにより形成することができる。
【００３６】さらに、別の変形例としては、本発明の灰皿ユニットの実施形態が引出し式の構造であることに鑑み、パッキン３０などの封止部材を一切使用せずに、灰皿蓋１２と灰皿ケース２の開口部の双方の嵌合部に、互いに篏合可能な凹凸状段部を設け、灰皿蓋１２の該凹凸状段部を灰皿ケース２の開口部に篏入させて嵌め込む、いわゆるインロー嵌合（印籠蓋状の嵌合）による嵌め合い構造とすることにより、灰皿部１の吸殻や煙草の灰等の受け皿部を灰皿ケース２内にすっぽりと収容させて前記灰皿蓋１２で前記開口部を蓋する密閉構造に形成することも考えられる。また、上記段部は、灰皿蓋１２と灰皿ケース２開口部との接触部において、どちらか一方の側にのみ設けてもよく、該段部の形態も凹凸状だけに限定されることなく、凹部又は凸部だけの形態を有する段部とすることができるものである。
このような段部は、灰皿ユニット１００と同じ材料で形成できるので、合成樹脂製のものではモールド成形により加工が容易で、精度の高い密閉構造に成形できる。
【００３７】本実施形態の灰皿の消火構造では、上記したように、灰皿部１の密閉性をあげて酸素の供給を抑止、あるいは遮断することにより、水を用いることなく煙草の消し忘れを防ぎ、火災の予防がなされると共に、遊技者の手などを汚さずに確実に煙草の消火ができるものである。
また、各種遊技機においては、灰皿部１を引き出し式にすることにより、従来のパチンコ機では不可能であった左右対称のデザインを用いることができる。
【００３８】（灰皿部の引出し構造）
図１に示す位置では、灰皿部１は通常の使用状態の位置まで引き出された使用ポジションにある状態を示している。支持プレート３、３は、灰皿部１の両側壁の外側に各々配設されており、灰皿部１を両側から支持するように形成されている。図２に示すように、２１はガイドプレートで灰皿ケース２内に固着されている。４はガイドピン（突起部材）、５は灰皿部の支持ピン、６は灰皿部１の前部を支持プレート３に回動自在に固着する枢着ピン、７は前記ガイドピン４を摺動自在にガイドするガイドプレート２１に形成された長溝のストレート溝である。図５〜図７において、前記ストレート溝７に続いて、８は該ストレート溝７に連続形成されたクランク溝、９は該クランク溝８に連続形成された垂直溝である。１１はストレート溝７とクランク溝８とで形成される前記ガイドピン４の水平移動を規制するストッパを構成している。なお、ガイドプレート２１に形成した各溝と支持プレート３に設けたガイドピン４は、相互に相手部材と交換して形成してもよいものであることは理解されよう。
【００３９】（各部材の結合構造）
まず、灰皿ユニット１００の灰皿部１と灰皿ケース２との結合構造について説明する。図２は、使用時の使用ポジションに灰皿部１を引き出した状態を示す灰皿の断面図である。灰皿部１は、灰皿ケース２に設けられたストレート溝７により、引出し・収納が可能な状態に該灰皿ケース２内で摺動自在に案内されるように形成されている。図において、支持プレート３の前方側から枢着ピン６、支持ピン５、ガイドピン４の順にいずれも支持プレート３に固着されている。
【００４０】灰皿ケース２の内部側壁には、ガイドプレート２１、２１が両側部に各々固着されており、このガイドプレート２１、２１のさらに内側に灰皿部１を両側から挟持した状態で灰皿の支持プレート３、３が配設されており、この支持プレート３、３の手前側先端に灰皿部１が枢着ピン６により回動可能に固着されている。そして、支持プレート３、３はガイドピン４を介して前記ガイドプレート２１、２１のストレート溝７に篏入し、これにより、灰皿部１と灰皿ケース２とが結合されたユニット構造となっている。
【００４１】上記ユニット構造において、支持プレート３の縦幅上部は、後述する灰皿部１の持ち上げを許容するように、灰皿ケース２の内側面上部で隙間が形成されるように、灰皿ケース２の内側面の幅よりも小さく形成されている。
【００４２】また、ガイドピン４は、支持プレート３の最後部に固着されており、灰皿部１を水平に保持したままの状態で灰皿ケース２の内部において進退移動させることができるように、ストレート溝７内をスライド自在に形成されている。これにより、灰皿部１は、使用ポジション又は収納ポジションに容易に移動させることができる。また、灰皿の支持ピン５は、灰皿部１の後部において、灰皿部１を使用時の水平状態のポジションに保持することができるように、灰皿部１の後壁部の段部１３を支えている。枢着ピン６は、灰皿部１を灰皿蓋１２の裏側下部位置において、支持プレート３、３の先端部下方位置との間に挟むようにした態様で両者間を回動自在に固着している。
【００４３】（収納ポジション）
図３は、灰皿部１を収納した状態の収納ポジションを示している。ここで、灰皿蓋１２のサイズは、灰皿ユニット１００取付時に遊技機本体の図示しない前面操作パネルＣの灰皿取付開口部の内側から該灰皿ユニット１００を挿入して取付施工できるようにするため、灰皿ケース２の外径サイズと同じか、それ以下のサイズに形成されている。２０は該灰皿ケース２を前記前面操作パネルＣの灰皿取付開口部に取り付ける取付部である。この取付部２０と灰皿蓋１２と間のサイズは、前記前面操作パネルＣの厚みに対応するように形成されている。
灰皿部１の消火構造については、前述したのでここでは説明を省略する。
【００４４】図４は、灰皿部１を収納した状態の収納ポジションにおけるガイドピン４の位置を示している。この収納ポジションにおいて、灰皿部１は、一番後退した位置、つまりガイドピン４が前記ストレート溝７の一番奥の終端部となる位置にある。灰皿ケース２の内部に設けられたガイドプレート２１には、前記したように灰皿部１を各々のポジションに移動させるためのガイド用の溝が形成されており、このガイド用の溝は、図５に示すように、ストレート溝７と、クランク溝８と、垂直溝９とから成っている。１１は、ガイドピン４に対するストッパを成している。
【００４５】また、垂直溝９の中間には、抜き口１０が形成されており、この抜き口１０の幅はガイドピン４とほぼ同径のサイズに形成されていて、容易にガイドピン４がこの抜き口１０から引き出されないように配慮されている。しかし、灰皿部の盗難防止などのため、この抜き口１０は形成しなくてもよいものであり、これがなくても、煙草の灰や吸殻等の清掃のためには特段の支障はないので、抜き口１０を形成することは必須ではない。
【００４６】（使用ポジション）
次に、本実施形態の灰皿部１の引き出し動作について説明する。
前記した灰皿部１の収納ポジションから使用時の使用ポジションへ灰皿を引き出す場合は、前記前面操作パネルＣの灰皿取付開口部の側部又は下部に形成した窪み部Ｆ（図１２参照）から使用者が灰皿蓋１２に指をかけて灰皿部１を灰皿ケース２から前方手前側に引き出すと、灰皿部１は一体的に結合された支持プレート３と共に、ストレート溝７に案内されてガイドピン４が引き出され、図２の使用ポジションへと移動させられる。そして、ガイドピン４がストッパ１１に突き当たると、それ以上は灰皿部１は引き出せなくなり、その位置で停止する。
【００４７】前記した使用時の使用ポジションにおいては、図２に示すように、ガイドピン４がストッパ１１に突き当たる位置で、灰皿部１の自重による下向きの回転モーメントが灰皿ケース２の開口部下縁に当接する該支持プレート３の下部（Ａ点）を支点として作用するが、この回転モーメントは、ガイドプレート２１が灰皿ケース２と共に固定側であるため、ストレート溝７に篏入したガイドピン４が受けるストレート溝７又はストッパ１１との当接点からの反力によりその回転が阻止される。これにより、灰皿部１が灰皿ケース２の開口部の途中の位置にあっても、開口部から突き出した位置にあっても、常に傾いたり脱落したりすることなく、水平状態にバランスよく保持されるものである。また、上記使用ポジションの位置では、支持ピン５により灰皿部１の後壁部の段部１３が支えられた状態で、灰皿部１の後壁部上端が灰皿ケース２の開口からはまだ外れない位置となるように形成されているので、灰皿ケース２の開口部上縁に当接して回動が規制され、これにより、二重に灰皿部１の回動が規制されて、水平状態が保持され使用可能の状態となる。（なお、図１０に示すように、本実施形態の変形例として、ガイドピン４とストレート溝７とを逆にして、支持プレート３とガイドプレート２１とに形成した場合においても、本実施形態と同様に灰皿部１に作用する回転モーメントが阻止され、安定な水平状態が保持できるものである。）
【００４８】また、灰皿部１はその前部下方の枢着ピン６で支持プレート３、３に枢着され、その後壁部の段部１３が支持ピン５により支えられる構造としたものであるので、特に灰皿部１の前方に外力を与えない限り、通常の状態では灰皿部１は回動される恐れのない安定した水平状態に保持されるものである。そして、前記した灰皿部１を引き出した通常の使用ポジションでは、灰皿部１の後部上端（Ｂ点）は、灰皿ケース２の開口上端に当接するように形成されていることとも相俟って、これにより灰皿部１は使用時の使用ポジションにおける水平状態がより確実に保持されるようになされている。
【００４９】（清掃ポジション）
次に、灰皿部１の清掃時の清掃ポジションについて説明する。
灰皿部１の清掃時の清掃ポジション（図７）は、前記した使用時の使用ポジション（図６）から、さらに灰皿部１を引き出すことにより行うものである。その引出しの際、単純に引き出そうとしても、ガイドピン４がストッパ１１に引っ掛かって引き出せないので、灰皿部１の前方部分、例えば灰皿蓋１２を持ち上げて引き出すようにして行う。このように灰皿部１の前方部分を持ち上げると、灰皿の支持プレート３も一緒に持ち上げられることにより、ストレート溝７に摺動自在に嵌め込まれているガイドピン４はストッパ１１に突き当たった位置から離されてその上方に移動しつつ、クランク溝８へとガイドされ、さらに引き出されて垂直溝９へと案内され、図７に示すガイドピン４の位置へと移動する。そうすると、この位置では灰皿部１の後方は、灰皿ケース２から離脱して回動規制から開放されるので、灰皿部１は枢着ピン６を軸としてその周りに回動することが可能となり、したがって通常の使用状態では上向きの灰皿部１の灰受け部を、図８に示すように、下向きに回動させることができる。これにより、灰皿部１に溜まった煙草の灰や吸殻等を下に落としてバケツ等に移し、灰皿部１の灰受け部を容易に清掃することができるものである。そして、遊技者が単純に灰皿部１を引き出そうとしても、ガイドピン４はストッパ１１から離脱できないので、煙草の灰や吸殻等が落下して衣服を汚すような不測の事態は避けられるものである。
【００５０】なお、本発明の実施の形態は上記に限定されるものではなく、例えば次のように変更してもよい。
【００５１】請求項１の遊技機の灰皿ユニットにおいて、前記密閉用封止部は、前記灰皿蓋側の接触部に設けられた遊技機の灰皿ユニット。
該遊技機の灰皿ユニットによれば、煙草の火を、手を汚さずに確実に水を用いることなく消火することができると共に、密閉用封止部が灰皿蓋側に形成できるので、該密閉用封止部が遊技機の前方からは見えないのでデザイン的に体裁がよく、またその形成加工が容易である。
【００５２】請求項１の遊技機の灰皿ユニットにおいて、前記密閉用封止部は、前記灰皿ケース開口部側の接触部に設けられた遊技機の灰皿ユニット。
該遊技機の灰皿ユニットによれば、煙草の火を、手を汚さずに確実に水を用いることなく消火することができると共に、密閉用封止部は灰皿ケース開口部の側に形成されるので、灰皿部の引出し状態において、該密閉用封止部の具合を点検するのが容易であり、その形成加工も容易である。
【００５３】請求項１の遊技機の灰皿ユニットにおいて、前記密閉用封止部は、前記灰皿蓋と前記灰皿ケース開口部の双方の接触部に設けられた遊技機の灰皿ユニット。
該遊技機の灰皿ユニットによれば、煙草の火を、手を汚さずに確実に水を用いることなく消火することができると共に、密閉用封止部は、灰皿蓋と灰皿ケース開口部の双方の接触部に設けられているので、どちらか一方の密閉用封止部が不具合になっても、他の封止部で密閉状態を維持することができる利点を有する。
【００５４】請求項４の遊技機の灰皿ユニットにおいて、前記パッキンは合成ゴム又は合成樹脂等の弾性材料で形成される遊技機の灰皿ユニット。
該遊技機の灰皿ユニットによれば、遊技者の手を汚さずに煙草の火を確実に水を用いることなく消火することができると共に、パッキンは合成ゴム又は合成樹脂等の弾性材料で形成されるので、封止部への装着が簡単であり、また前記凹凸を設けた接触部での双方の密着嵌合も容易かつ簡単であるので、安価で確実な密閉封止部が形成できる。
【００５５】請求項１〜４請求項のいずれかの遊技機の灰皿ユニットにおいて、前記密閉用封止部は前記灰皿又は灰皿ケースの少なくとも一方と同一の材料で一体に形成されている遊技機の灰皿ユニットを提案する。
該遊技機の灰皿ユニットによれば、遊技者の手を汚さずに煙草の火を確実に水を用いることなく消火することができると共に、密閉用封止部が少なくとも灰皿部又は灰皿ケースの一方と同じの材料で一体に形成できるので、パッキン等の封止部を後加工で装着したりする手間が省けるので、安価に製造できる。
【００５６】請求項５の遊技機の灰皿ユニットにおいて、前記灰皿ユニットは遊技機の前面操作パネルの灰皿取付開口部内側から該前面操作パネルに取り付けた遊技機の灰皿ユニット。
該遊技機の灰皿ユニットによれば、遊技者の手を汚さずに煙草の火を確実に水を用いることなく消火することができると共に、灰皿ユニットは遊技機本体の内側から取付開口部を通して前面操作パネルに取り付けるようにしたので、灰皿取付部が前面操作パネル面に現れることがないので、デザイン的に体裁がよく、デザインの自由度も高くすることができる。
【００５７】請求項１〜請求項９のいずれかの遊技機の灰皿ユニットにおいて、前記灰皿部と灰皿ケースとは長溝と突起部材とにより連結されている遊技機の灰皿ユニット。
該遊技機の灰皿ユニットによれば、遊技者の手を汚さずに煙草の火を確実に水を用いることなく消火することができると共に、灰皿部と灰皿ケースとは長溝と突起部材との係合によりスライド自在となすことができるので、構造が簡単で製造がし易く、安価に提供できるものである。
【００５８】請求項１〜請求項９のいずれかの遊技機の灰皿ユニットにおいて、前記灰皿部は支持プレートを介して灰皿ケース内に連結されている遊技機の灰皿ユニット。
該灰皿ユニットの構造によれば、遊技者の手を汚さずに煙草の火を確実に水を用いることなく消火することができると共に、支持プレートを介して灰皿ケース内に連結することにより灰皿部を確実に保持することができる利点を有するものである。
【００５９】請求項１〜請求項９のいずれかの遊技機の灰皿ユニットにおいて、前記支持プレートは前記灰皿ケース内に固着されたガイドプレートに連結されている遊技機の灰皿ユニット。
該灰皿ユニットの構造によれば、遊技者の手を汚さずに煙草の火を確実に水を用いることなく消火することができると共に、支持プレートと灰皿ケースとの連結構造をガイドプレートを介して形成することができるので、灰皿ケースに直接連結構造を形成する場合よりも、製造が容易で安価にできる。
【００６０】請求項１〜請求項９のいずれかの遊技機の灰皿ユニットにおいて、前記長溝は灰皿部の前記支持プレートに形成されており、前記突起部材は灰皿ケース内の前記ガイドプレートに形成されている遊技機の灰皿ユニット。
該灰皿ユニットの構造によれば、遊技者の手を汚さずに煙草の火を確実に消火することができると共に、長溝又は突起部材の形成が支持プレート又はガイドプレートに形成することができるので、灰皿部又は灰皿ケースに直接形成する場合よりも、構造が簡単であるため、製造が容易で安価に形成できる。
【００６１】請求項１〜請求項９のいずれかの遊技機の灰皿ユニットにおいて、前記長溝は灰皿ケース内の前記ガイドプレートに形成されており、前記突起部材は灰皿部の前記支持プレートに形成されている遊技機の灰皿ユニット。
該灰皿ユニットの構造によれば、遊技者の手を汚さずに煙草の火を確実に水を用いることなく消火することができると共に、長溝又は突起部材の形成がガイドプレート又は支持プレートに形成することができるので、灰皿ケース又は灰皿部に直接形成する場合よりも、構造が簡単であるため、製造が容易で安価に形成できる。
【００６２】請求項１〜請求項９のいずれかの遊技機の灰皿ユニットにおいて、前記使用ポジションは、前記突起部材が前記長溝の終端に当接する位置であり、この位置で支持プレートの引出しが停止されるように形成されている遊技機の灰皿ユニット。
該灰皿ユニットの構造によれば、手を汚さずに煙草の火を確実に水を用いることなく消火することができると共に、使用ポジションにおいて灰皿部の引出しが確実に停止できるので、遊技者が不注意に灰皿を引き出しすぎて、煙草の灰や吸殻等を床に落とすような事故を未然に防ぐことができるものである。
【００６３】請求項１〜請求項９のいずれかの遊技機の灰皿ユニットにおいて、前記使用ポジションは灰皿部の後壁上縁部が灰皿ケースの開口からは外れない位置である遊技機の灰皿ユニット。
該灰皿ユニットの構造によれば、手を汚さずに煙草の火を確実に水を用いることなく消火することができると共に、使用ポジションにおいて灰皿部の引出しが確実に停止できるとともに、灰皿部が灰皿ケースの開口からは外れない位置にあるので、遊技者が不注意に灰皿を引き出しすぎて、煙草の灰や吸殻等を床に落とすような事故を未然に防ぐことができるものである。
【００６４】請求項１〜請求項９のいずれかの遊技機の灰皿ユニットにおいて、前記清掃ポジションは前記灰皿部が前記灰皿ケースの外側の位置である遊技機の灰皿ユニット。
該灰皿ユニットの構造によれば、手を汚さずに煙草の火を確実に水を用いることなく消火することができると共に、清掃ポジションは使用ポジションとはっきり区別して視認できるので、清掃時の灰皿の取扱いが便利である。
【００６５】請求項１〜請求項９のいずれかの遊技機の灰皿ユニットにおいて、前記灰皿部は前記支持プレート間に挟持されている遊技機の灰皿ユニット。
該灰皿ユニットの構造によれば、遊技者の手を汚さずに煙草の火を確実に水を用いることなく消火することができると共に、灰皿部は前記支持プレート間に挟持される構造としたので、灰皿ケースからの引出しと収納が該支持プレートがガイドを兼ねることになり、引出しや収納がスムーズに行える利点を有する。
【００６６】請求項１〜請求項９のいずれかの遊技機の灰皿ユニットにおいて、前記灰皿部の前部は前記支持プレート間に回動自在に枢着されている遊技機の灰皿ユニット。
該灰皿ユニットの構造によれば、手を汚さずに煙草の火を確実に水を用いることなく消火することができると共に、灰皿部の前端部が支持プレート間に回動自在に枢着されているので、通常状態では灰皿自体の自重により回動することがなく、灰皿を安定した水平状態に保持することができる。
【００６７】請求項１〜請求項９のいずれかの遊技機の灰皿ユニットにおいて、前記灰皿部の後壁部には段部が形成されている遊技機の灰皿ユニット。
該灰皿ユニットの構造によれば、手を汚さずに煙草の火を確実に水を用いることなく消火することができると共に、灰皿部の後壁部に段部が形成されているので、清掃時に灰皿部を回動させるとき、清掃者の手指の掛かりをよくすることができる。
【００６８】請求項１〜請求項９のいずれかの遊技機の灰皿ユニットにおいて、前記灰皿部の後壁部の段部は前記支持プレートに形成された突起により水平状に支持されている遊技機の灰皿ユニット。
該灰皿ユニットの構造によれば、手を汚さずに煙草の火を確実に水を用いることなく消火することができると共に、灰皿部の後壁部の段部が前記支持プレートの突起により通常状態では水平状に支持されているので、特別な取扱いをしない限り灰皿部を安定的に保持することができる。
【００６９】請求項１〜請求項９のいずれかの遊技機の灰皿ユニットにおいて、前記灰皿部の後壁部の段部は前記支持プレート間に架設された横架部材により水平状に支持されている遊技機の灰皿ユニット。
該灰皿ユニットの構造によれば、手を汚さずに煙草の火を確実に水を用いることなく消火することができると共に、灰皿部の後壁部の段部が支持プレート間の横架部材により安定な水平状態に保持することができる。
【００７０】請求項１〜請求項９のいずれかの遊技機の灰皿ユニットにおいて、前記長溝は収納ポジションから使用ポジション間はストレート溝であり、該使用ポジションから清掃ポジション間においては該ストレート溝の終端に連続してクランク溝が形成されている遊技機の灰皿ユニット。
該灰皿ユニットの構造によれば、煙草の火を、手を汚さずに確実に水を用いることなく消火することができると共に、収納ポジションから使用ポジション間はストレート溝であるので、引出しの抵抗がなく、また、引出しの停止位置にクランク溝が形成されているので、該クランク溝に突き当たる位置で確実に灰皿部の引き出しを停止することができる。
【００７１】請求項１〜請求項９のいずれかの遊技機の灰皿ユニットにおいて、前記支持プレートに形成される前記クランク溝は立ち上がりクランク溝である遊技機の灰皿ユニット。
該灰皿ユニットの構造によれば、手を汚さずに煙草の火を確実に水を用いることなく消火することができると共に、収納ポジションから使用ポジションへの引出しの停止位置にクランク溝が形成されているので、水平移動する突起部材が該クランク溝に当接することにより、所定位置で確実に引出しを停止することができる。
【００７２】請求項１〜請求項９のいずれかの遊技機の灰皿ユニットにおいて、前記ガイドプレートに形成される前記クランク溝は立ち下がりクランク溝である遊技機の灰皿ユニット。
該灰皿ユニットの構造によれば、煙草の火を、手を汚さずに確実に水を用いることなく消火することができると共に、前項と同じく、水平移動する突起部材が該立ち下がりクランク溝に当接することにより、所定位置で確実に引出しを停止することができる。
【００７３】請求項１〜請求項９のいずれかの遊技機の灰皿ユニットにおいて、前記使用ポジションにおいて、前記灰皿部を持ち上げることにより、該灰皿部が前記クランク溝に沿い、さらに清掃ポジションまで引き出せるようにした遊技機の灰皿ユニット。
該灰皿ユニットの構造によれば、煙草の火を、手を汚さずに確実に水を用いることなく消火することができると共に、遊技者が使用ポジションから灰皿部をさらに引き出そうとしても、単純には引き出せないようにしたので、遊技者が不用意に煙草の灰や吸殻等を床に落下させたりする恐れが防止できる。
【００７４】請求項１〜請求項９のいずれかの遊技機の灰皿ユニットにおいて、前記使用ポジションにおいて、前記支持プレートは、灰皿部の自重により灰皿ケースの開口部下縁を支点として働く該支持プレートの回転モーメントを、前記突起部材と前記スライド溝との当接点の反力により阻止するように形成されている遊技機の灰皿ユニット。
該灰皿ユニットの構造によれば、煙草の火を、手を汚さずに確実に水を用いることなく消火することができると共に、使用ポジションにおいて、通常状態では灰皿自体の自重により支持プレートに対する回転モーメントが作用しても、突起部材と前記ストレート溝との当接点の反力により該支持プレートの回動が確実に阻止され、該支持プレートに取り付けられた灰皿部を常に水平にバランスするように形成されているので、灰皿部を安定した水平状態に保持することができる。
【００７５】請求項１〜請求項９のいずれかの遊技機の灰皿ユニットにおいて、前記使用ポジションにおいて、前記灰皿部の後壁部上縁が前記灰皿ケースの開口部と当接して、該灰皿部の回動が阻止されるように形成された遊技機の灰皿ユニット。
該灰皿ユニットの構造によれば、煙草の火を、手を汚さずに確実に水を用いることなく消火することができると共に、灰皿部の後壁部上縁が灰皿ケースの開口部に当接して、該灰皿部の回動が阻止されるので、灰皿部を安定した水平状態に保持することができる。
【００７６】請求項１〜請求項９のいずれかの遊技機の灰皿ユニットにおいて、前記清掃ポジションにおいて、前記クランク溝に連続して垂直溝が形成されている遊技機の灰皿ユニット。
該灰皿ユニットの構造によれば、煙草の火を、手を汚さずに確実に水を用いることなく消火することができると共に、使用ポジションから清掃ポジションへ灰皿部を持ち上げつつ引き出した後、清掃者が手を離してもその位置で垂直溝により突起部材が保持されるので、引き出された灰皿部の水平状態は保持され、不用意に煙草の灰や吸殻等を床に落下させたりする恐れが防止できる。
【００７７】請求項１〜請求項９のいずれかの遊技機の灰皿ユニットにおいて、前記清掃ポジションにおいて、前記垂直溝の途中位置に前記突起部材の抜き口が形成されている遊技機の灰皿ユニット。
該灰皿ユニットの構造によれば、煙草の火を、手を汚さずに確実に水を用いることなく消火することができると共に、灰皿部を灰皿ケースから外へ取外す必要がある場合、この抜き口から突起部材を取り出すことにより、灰皿部を取外すことができる。
【００７８】請求項１〜請求項９のいずれかの遊技機の灰皿ユニットにおいて、前記抜き口の幅は前記突起部材の幅と略同一に形成されている遊技機の灰皿ユニット。
該灰皿ユニットの構造によれば、煙草の火を、手を汚さずに確実に水を用いることなく消火することができると共に、清掃者以外の者が、灰皿部を灰皿ケースから取外そうとしても、前記抜き口と突起部材との位置合わせが複雑で手間が掛かるように構成してあるので、盗難やいたずら等による灰皿部の紛失を防止することができる。
【００７９】
【本発明の効果】本発明によれば、次の効果を奏するものである。
【００８０】本発明では、煙草の火を確実に水を用いることなく消火するのに、灰皿蓋と灰皿ケース開口部との接触部に密封用封止部を設け、灰皿部の密閉性を上げたことにより、灰皿部を灰皿ケース内に収納するだけで、手を汚さずに簡単に、かつ、確実に、しかも水を用いることなく消火できる。
【００８１】灰皿部の収納状態において、灰皿蓋又は灰皿ケース開口部の接触部にパッキンを配設して、煙草が燃焼する際に必要とする酸素を外部から取り込まないような密閉構造としたので、煙草の火の消し忘れを防止し、ホール内に煙草の煙が流れ出たり充満するのを防ぎ、火災の発生を予防することができるとともに、遊技者の手などを汚さずに煙草の消火が確実にできるものである。
【００８２】パロット（株式会社ニューギンの登録商標〜メダルの代わりにパチンコ球を遊技媒体に使用したパチスロ機）においては、灰皿を引き出し式にすることができるので、従来パチンコ機では不可能であった左右対称のデザインを用いることができる。
【００８３】左右対称の灰皿ユニットは、遊技者が右利きでも左利きでも灰皿の取扱いが便利であるから、煙草やガム等の始末に遊技者を煩わせることがない利点を有する。
【００８４】灰皿ユニットの遊技機への取り付けは、灰皿ユニットを遊技機本体の内側から開口部を通してパネルに取り付けるようにしたので、灰皿取付部がパネル面に現れることがないので、デザイン的に体裁がよく、デザインの自由度も高くすることができる。
【００８５】灰皿の収納ポジションでは、収納したとき、遊技機の前面操作パネルからの出っ張りがなく、デザイン的にも違和感が生じないように遊技機本体のパネル内に完全に収納することができるものである。
【００８６】また、使用時の使用ポジションでは、灰皿部に働く回転モーメントを、該灰皿部と一体的固着されたガイドピン又は支持プレートの溝部からの反力により阻止すると共に、灰皿部の後部側を灰皿ケースの開口端縁で押さえるようにしたので、灰皿部を常に安定して水平状態に保持できるものである。
【００８７】さらに、使用時の使用ポジションから、清掃時の清掃ポジションへの灰皿部の引き出しは、引き出し側に固着したガイドピンをストッパ部分から迂回させるようにして２段階の引出し状態にして行うものであるから、遊技者は通常は１段階目まで引き出して使用すればよく、清掃時には通常の使用時とは異なる特別な繰作、つまり灰皿部を持ち上げつつ、２段階目までの引き出しを行い、さらに灰皿ケースの外部へ引き出してから、灰皿部の灰受入部を下向きに回動させることで清掃を行うものである。
【００８８】灰皿部の引き出しを前記２段階の引出し状態にして行うようにしたことにより、２段階目への引出しは、灰皿部の前部をわざわざ持ち上げながら引き出さなければ灰皿部を引き出すことができず、面倒で手間の掛かる動作を伴うものであるから、遊技者がうっかりして、２段階目まで灰皿部を引き出してしまう恐れは完全に防止することができるものであり、このような不注意による衣服等への煙草の灰等の汚物の付着を防いで、遊技者の不快を招くような事態を完全に払拭することができるものである。
【００８９】さらに、灰皿をユニット構造として灰皿部が取外せないようにしたので、盗難やいたずら、紛失等の問題を回避することができる。
【図面の簡単な説明】
【図１】本発明の使用ポジションにおける灰皿ユニットの斜視図
【図２】本発明の使用ポジションにおける灰皿ユニットの断面図
【図３】本発明の収納ポジションにおける灰皿ユニットの斜視図
【図４】本発明の収納ポジションにおける灰皿ユニットの断面図
【図５】収納ポジションにおけるガイドピンの位置を示す断面図
【図６】使用ポジションにおけるガイドピンの位置を示す断面図
【図７】清掃ポジションにおけるガイドピンの位置を示す断面図
【図８】清掃ポジションにおける灰皿部の回転を示す斜視図
【図９】本実施形態の密閉封止の変形例を示す概略図
【図１０】本発明の灰皿ユニットの密閉封止形態の概略図
【図１１】本発明の灰皿ユニットを左右に装着した前面操作パネルの斜視図
【図１２】本発明の灰皿ユニットを装着した前面操作パネルの斜視図
【符合の説明】
１００　　　　灰皿ユニット
１　　　　灰皿部
２　　　　灰皿ケース
３　　　　支持プレート
４　　　　ガイドピン（突起部材）
５　　　　支持ピン
６　　　　枢着ピン
７　　　　ストレート溝（長溝）
８　　　　クランク溝
９　　　　垂直溝
１０　　　　抜き口
１２　　　　灰皿蓋
１３　　　　後壁部の段部
２１　　　　ガイドプレート
３０　　　　パッキン
Ｃ　　　　前面操作パネル
【図１】
2004105373.tif 000003
【図２】
2004105373.tif 000004
【図３】
2004105373.tif 000005
【図４】
2004105373.tif 000006
【図５】
2004105373.tif 000007
【図６】
2004105373.tif 000008
【図７】
2004105373.tif 000009
【図８】
2004105373.tif 000010
【図９】
2004105373.tif 000011
【図１０】
2004105373.tif 000012
【図１１】
2004105373.tif 000013
【図１２】
2004105373.tif 000014